(57)【要約】  【課題】  工具を要しないで同軸ケーブルの端末に取付けられ、しかも、ケーブルとの接続状態を確実に維持できるＦ型コネクタを提供する。  【解決手段】  機器に突設した螺子筒に螺合する接続ナットと１、該接続ナット１を一端に回動自在に組付け、他端に周面に環状係止段部５を軸線に沿わせて並設した挿入筒部２ｂを備えたシェル２と、該シェル２の挿入筒部２ｂを嵌挿した同軸ケーブルｃの外側から前記挿入筒部２ｂに外嵌し、しかも、内周面に前記環状係止段部５に係止する突縁６を設けた割り筒および該割り筒３の周側に軸線に沿わせて並設した環状係止段部８に係止する係止突縁９を内周面に設け、軸線に沿って前記同軸ケーブルｃを挿通する套装筒４とで構成する。【選択図】    図１
2010015923.tif 000002
【特許請求の範囲】
【請求項１】
機器に突設した螺子筒に螺合する接続ナットと、該接続ナットを一端に回動自在に組付け、他端に周面に環状係止段部を軸線に沿わせて並設した挿入筒部を備えたシェルと、該シェルの挿入筒部を嵌挿した同軸ケーブルの外側から前記挿入筒部に外嵌し、しかも、内周面に前記環状係止段部に係止する突縁を設けた割り筒および該割り筒の周側に軸線に沿わせて並設した環状係止段部に係止する係止突縁を内周面に設け、軸線に沿って前記同軸ケーブルを挿通する套装筒とで成るＦ型コネクタ。
【発明の詳細な説明】
【技術分野】
【０００１】
本発明は、概し、テレビ等の高周波信号を伝達する同軸ケーブルの端末に設けるＦ型コネクタに関するものである。
【背景技術】
【０００２】
Ｆ型コネクタは、機器に突設した螺子筒に螺合する接続ナットと、該接続ナットを一端に回動自在に組付け、他端に周面に環状係止段部を軸線に沿わせて並設した挿入筒部を備えたシェルおよび該シェルの挿入筒部を嵌挿した同軸ケーブルの外側から縮径して前記挿入筒部に圧着する圧着リングとで構成しているのが一般である（例えば、特許文献１）。
【０００３】
【特許文献１】実開平２−１１９３７６号公報
【発明の開示】
【発明が解決しようとする課題】
【０００４】
前記従来構造のものは、同軸ケーブルに接続するには（同軸ケーブルの端末に取付けるには）、圧着リングを圧着して（かしめて）当該ケーブルとシェルとを接続させる構成を採るので、圧着作業するための工具を用意しておかねばならないし、また、該作業の誤作業により接続状態が簡単に崩れる恐れがある等の問題点がある。
【０００５】
本発明は、工具を必要としないで、しかも、同軸ケーブルとの接続状態を確実に維持できるＦ型コネクタを提供することを目的として創案したものである。
【課題を解決するための手段】
【０００６】
機器に突設した螺子筒に螺合する接続ナットと、該接続ナットを一端に回動自在に組付け、他端に周面に環状係止段部を軸線に沿わせて並設した挿入筒部を備えたシェルと、該シェルの挿入筒部を嵌挿した同軸ケーブルの外側から前記挿入筒部に外嵌し、しかも、内周面に前記環状係止段部に係止する突縁を設けた割り筒および該割り筒の周側に軸線に沿わせて並設した環状係止段部に係止する係止突縁を内周面に設け、軸線に沿って前記同軸ケーブルを挿通する套装筒とで成る構成としたものである。
【発明の効果】
【０００７】
本発明によれば、同軸ケーブルに挿入した挿入筒部に同軸ケーブルの外側から割り筒を外嵌させて、割り筒の内周面の突縁を適宜の環状係止段部に合わせ、割り筒の外側には套装筒を配してその内周面の係止突縁を割り筒の係止段部に係止させることにより同軸ケーブルの端末に確実に取り付けることができ、しかも、その作用に特別な工具を必要としないから、現場で用いるに好適である。
【実施例】
【０００８】
図面は本発明に係るＦ型コネクタの一実施例を示し、図１は使用状態を示す断面図、図２は一部欠截分解図、図３は割り筒の断面図、図４は図３の側面図、図５は套装筒の一部欠截正面図、図６は図５の側面図である。
【０００９】
本発明に係るＦ型コネクタＡは、接続ナット１とシェル２と割り筒３および套装筒４とで構成し、接続ナット１はねじ穴（図示省略）を内腔部の一側に設け、他側には前記シェル２を基部の一側を挿入して回動自在に組付け（この組付け手段は公知であるので説明は省略）たもので、前記ねじ穴において機器に備えた螺子（雄ねじ）筒に螺合して機器に取付けるものである。
【００１０】
シェル２は、一端を接続ナット１に組付けた基部２ａの他端に挿入筒部２ｂを突設して構成し、挿入筒部２ｂの周側には、該挿入筒部２ｂの基部から自由端方向に漸次径を狭くした環状係止段部５，…を軸線に沿わせて並設し、各環状係止段部５の、挿入筒部２ｂ奥行側の大径部に割り筒３に設けた突縁６が係止して該割り筒３の挿入筒部２ｂからの離脱を防ぐようにしてある。
【００１１】
割り筒３は前記接続ナット１とシェル２が金属で構成するに対し合成樹脂で構成したもので、前記接続ナット１側に配する一端から他端方向に外径を次第に縮径し、軸線に沿わせてスリット７を形成することによって弾性変形し易くした割り筒体で成り、内周面の、軸線方向の中間部には軸線を取り囲むようにして前記突縁６，…を、等間隔を存して突設し、また、外周面には、外径が大径な側の一端から小径な側の一端方向に、前記環状係止段部３と同様に漸次径を狭くした環状係止段部８，…を軸線に沿わせて並設したものである。
【００１２】
套装筒４は、割り筒３と同様に合成樹脂で型成形したもので、有底筒体で成り、内腔部の軸線方向の中間部に、適宜の前記環状係止段部８に係止する、軸線を取り囲み、しかも、突条状にして係止突縁９を設け、この係止突縁９と開口端４´間の内周面４ａを、開口端４´から係止突縁９方向に、割り筒３の外径とほぼ同じ角度のテーパ面が生じるように、漸次縮径させ、開口端４´側の一端に対応する他端の閉塞部片４´´の中央には同軸ケーブルｃの挿通孔１０を設けて構成したものである。
【００１３】
そして、同軸ケーブルｃを套装筒４と割り筒３に順次貫通させるようにしてこれらを同軸ケーブルｃに組付け、同軸ケーブルｃの外部導体を構成するアルミ箔と内部絶縁体（の一部である編組）の間に、接続ナット１を組付けたシェル２の挿入筒部２ｂを挿入してシェル２を同軸ケーブルｃの端末に組付け、挿入筒部２ｂを内側に配した同軸ケーブルｃの外被部（端末）に割り筒３をケーブルｃに沿って移動させて外嵌し、次いで、該割り筒３の外側に、套装筒４をケーブルｃに沿って移動させて外嵌させることによってコネクタＡを構成する各部材１，２，３，４は互いに組み付けられ、同軸ケーブルｃの端末に取付けられる。そして、この状態で接続ナット１を機器に備えた螺子筒に螺合することにより、予め端末処理して突出させた同軸ケーブルの内部導体が機器と電気的に接続されるのである。
【図面の簡単な説明】
【００１４】
【図１】使用状態を示す断面図。
【図２】一部欠截分解図。
【図３】割り筒の断面図。
【図４】図３の側面図。
【図５】套装筒の一部欠截正面図。
【図６】図５の側面図。
【符号の説明】
【００１５】
１      接続ナット
２      シェル
２ｂ    挿入筒部
３      割り筒
４      套装筒
５      環状係止段部
６      突縁
８      係止段部
９      係止突縁
ｃ      同軸ケーブル
【図１】
2010015923.tif 000003
【図２】
2010015923.tif 000004
【図３】
2010015923.tif 000005
【図４】
2010015923.tif 000006
【図５】
2010015923.tif 000007
【図６】
2010015923.tif 000008